(57)【要約】【課題】全体を薄く見せることができるＬＥＤ照明器具を提供する。【解決手段】器具本体１３には、ＬＥＤチップ２４１が基板２４２に実装された光源２４が収容されている。器具本体１３の上カバー３０および下カバー２０の境界線に沿って、入射端面４０５が光源２４に対面する平板状の導光板４０の基端部４０３が挟持されている。そして、上カバー３０における組み合わせ方向に沿った高さ寸法Ｈ１が、下カバー２０の高さ寸法Ｈ２よりも大きいので、導光板４０を、基端部４０３よりも先端部４０４が上方になるように挟持することができる。また、導光板４０は、基端部４０３よりも先端部４０４が上方になるように挟持されているので、器具本体１３の上カバー３０が隠れ、全体が薄く感じられる。【選択図】図５
2015090764.tif 000002
【特許請求の範囲】
【請求項１】
上下に組み合わせられる上カバーおよび下カバーを有する器具本体と、
前記器具本体に収容され、ＬＥＤチップが基板に実装された光源と、
前記上カバーおよび前記下カバーの境界線に沿って基端部が挟持されるとともに、入射端面が前記光源に対面する平板状の導光板と、を備え、
前記上カバーにおける組み合わせ方向に沿った高さ寸法が前記下カバーの高さ寸法よりも大きく、
前記導光板は、前記基端部よりも先端部が上方に配向されているＬＥＤ照明器具。
【請求項２】
請求項１に記載のＬＥＤ照明器具において、
前記光源は、前記基板の面方向が前記導光板の面方向に対して直角に配向されているＬＥＤ照明器具。
【請求項３】
請求項１または請求項２に記載のＬＥＤ照明器具において、
前記器具本体は、下向き面から垂下される垂下部材が接続可能な接続部を有するＬＥＤ照明器具。
【発明の詳細な説明】
【技術分野】
【０００１】
本発明は、ＬＥＤ光源からの光を導光板を介して照射するＬＥＤ照明器具に関するものである。
【背景技術】
【０００２】
従来、光源であるＬＥＤが発する光を導光板を介して照明するＬＥＤ照明器具が知られている（例えば、特許文献１参照）。
図１２に示すように、特許文献１に記載の照明装置１００は、装置本体としてのシャーシ１０１を有しており、シャーシ１０１の下面には、光源であるＬＥＤモジュール１０２が、光源保持部１０３を介して取付けられている。ＬＥＤモジュール１０２では、ＬＥＤ基板１０４を有し、ＬＥＤ基板１０４には長辺に沿ってＬＥＤ１０５が実装されている。光源保持部１０３は、シャーシ１０１の外縁部に向けて、正八角形状の周壁が形成されている。
【０００３】
シャーシ１０１の下面には、導光板１０６が設けられている。シャーシ１０１と導光板１０６との間には、反射シート１０８が設けられている。また、導光板１０６の下面には、拡散板１０９が設けられている。
導光板１０６は、中央に光源保持部１０３に取り付けられたＬＥＤモジュール１０２の配置形状に合わせた正八角形状の穴を有する。ＬＥＤ１０５は、導光板１０６の正八角形に形成されている入射端面１０７に対向している。
【先行技術文献】
【特許文献】
【０００４】
【特許文献１】特開２０１１−２２２４２０号公報（第７図）
【発明の概要】
【発明が解決しようとする課題】
【０００５】
しかしながら、前述した特許文献１に記載の従来の照明装置１００においては、光源であるＬＥＤ１０５の光出射方向が水平であり、かつ、導光板１０６の面方向が水平であるとともに導光板１０６の入射端面１０７が垂直になっている。
このため、照明装置１００の上部が見えるので、照明装置１００全体の薄型感が得難いという問題があった。
【０００６】
本発明は、従来の問題を解決するためになされたもので、全体を薄く見せることができるＬＥＤ照明器具を提供することを目的とする。
【課題を解決するための手段】
【０００７】
本発明のＬＥＤ照明器具は、上下に組み合わせられる上カバーおよび下カバーを有する器具本体と、前記器具本体に収容され、ＬＥＤチップが基板に実装された光源と、前記上カバーおよび前記下カバーの境界線に沿って基端部が挟持されるとともに、入射端面が前記光源に対面する平板状の導光板と、を備え、前記上カバーにおける組み合わせ方向に沿った高さ寸法が前記下カバーの高さ寸法よりも大きく、前記導光板は、前記基端部よりも先端部が上方に配向されているものである。
【０００８】
また、本発明のＬＥＤ照明器具では、前記光源は、前記基板の面方向が前記導光板の面方向に対して直角に配向されているものである。
【０００９】
さらに、本発明のＬＥＤ照明器具では、前記器具本体は、下向き面から垂下される垂下部材が接続可能な接続部を有するものである。
【発明の効果】
【００１０】
本発明は、上カバーにおける組み合わせ方向に沿った高さ寸法が、下カバーの高さ寸法よりも大きいので、導光板を、基端部よりも先端部が上方になるように挟持することができる。これに伴い、導光板は、基端部よりも先端部が上方になるように傾斜して挟持されているので、器具本体の上カバーが隠れ、かつ、下カバーが薄いので、全体の薄型感が得られるという効果を有するＬＥＤ照明器具を提供できる。
【図面の簡単な説明】
【００１１】
【図１】本発明に係る実施形態のＬＥＤ照明器具を天井面からワイヤで吊下げた状態を下方から見た斜視図
【図２】本発明に係る実施形態のＬＥＤ照明器具を上方から見た斜視図
【図３】本発明に係る実施形態のＬＥＤ照明器具において中央上カバーと一方の端部上カバーを外した状態を上方から見た斜視図
【図４】図３中“ＩＶ”部分の拡大図
【図５】図２中Ｖ−Ｖ位置の断面図
【図６】反射部材を取り付けた発光部および導光板の断面図
【図７】端部導光板押え金具を取り付け、中央導光板押え金具を外した状態を上方から見た斜視図
【図８】（Ａ）は導光板を直角に切断して入射端面を形成するとともにＬＥＤ基板を傾けた場合の説明図であり、（Ｂ）は導光板を斜めに切断して入射端面を形成するとともにＬＥＤ基板を垂直に設けた場合の説明図
【図９】（Ａ）は導光板の端部をビス止めした場合の平面図であり、（Ｂ）は凹凸により導光板の位置決めをした場合の平面図
【図１０】導光板の隅部に設けられている嵌合部付近に設けるスリットや印刷を強くする領域を示す平面図
【図１１】ＬＥＤ照明器具を天井面に直付けした場合の説明図
【図１２】従来の照明器具の断面図
【発明を実施するための形態】
【００１２】
以下、本発明に係る実施形態のＬＥＤ照明器具について、図面を用いて説明する。
図１および図２に示すように、実施形態のＬＥＤ照明器具１０は、天井面（下向き面）１１から垂下される複数本（ここでは４本）のワイヤ（垂下部材）１２で器具本体１３を吊下げて使用することができる。
なお、以下の説明においては、吊下げた状態で天井面１１側を「上」とし、天井面１１と反対側を「下」とする。
【００１３】
器具本体１３は長尺の矩形状を呈しており、上下に組み合わせられる上カバー３０および下カバー２０を有する。上カバー３０と下カバー２０との間には、後述する左右一対の導光板４０が取り付けられる。
上カバー３０は上に凸に湾曲断面の板状部材であり、長手方向両端のワイヤ１２の間に取り付けられる中央上カバー３０１と、ワイヤ１２よりも長手方向端部側に取り付けられる端部上カバー３０２を有する。
【００１４】
中央上カバー３０１と端部上カバー３０２との境界線３０３には、ワイヤ１２を通すための挿通孔３１が設けられている。すなわち、境界線３０３上の中央上カバー３０１側に一方の半円の切欠が形成され、境界線３０３上の端部上カバー３０２側に他方の半円の切欠が形成されている。
従って、中央上カバー３０１と端部上カバー３０２は、下カバー２０に対して別個に着脱することができる。図３には、一方の端部上カバー３０２のみを取り付けた状態が示されている。
【００１５】
図３および図４に示すように、器具本体１３の下カバー２０は、下方に僅かに凸の湾曲断面を有しており、天井面１１側である上面には上カバー３０が着脱可能に取り付けられる。
図５に示すように、上カバー３０における組み合わせ方向（すなわち、上下方向）に沿った高さ寸法Ｈ１は、下カバー２０の高さ寸法Ｈ２よりも大きい。
【００１６】
図３および図４に示すように、下カバー２０には、幅方向両端部内側に、一対の支持レール２２が、上カバー３０および下カバー２０の境界線に沿って長手方向に沿って設けられている。支持レール２２の長手方向両端部には、ワイヤ１２を接続可能な接続部２１が、各々設けられている。
図５に示すように、一対の支持レール２２の間である下カバー２０の内部には、電源ユニット２３が設けられている。
支持レール２２の外側面は、下端よりも上端が下カバー２０の中心側に位置するように傾斜している。
【００１７】
図４および図５に示すように、支持レール２２の外側面には、発光部（光源）２４を構成するＬＥＤ基板（基板）２４２が、下カバー２０の長手方向に沿って取り付けられている。ＬＥＤ基板２４２は細長い矩形状を呈しており、外側面である実装面には、ＬＥＤチップ２４１が実装されている。ＬＥＤチップ２４１は、ＬＥＤ基板２４２の長手方向に沿って直線状に配置されている。
従って、ＬＥＤ基板２４２は、支持レール２２の外側面と同様に、上端が下端よりも下カバー２０の中心側に傾いている。また、ＬＥＤ基板２４２の下端部は、支持レール２２の外側面に沿って下カバー２０に設けられている溝２０１に挿嵌されている。
【００１８】
図５および図６に示すように、発光部２４および器具本体１３の内部に位置する導光板４０には、反射部材２６が設けられている。
反射部材２６はシート状であり、導光板４０の上面４０２からＬＥＤ基板２４２の表裏を経て、導光板４０の下面４０１まで連続して設けられている。
また、反射部材２６は、ＬＥＤ基板２４２の実装面の長手方向に沿ってＬＥＤ基板２４２の全長に設けられている。
【００１９】
下カバー２０の幅方向両端の上面には、導光板４０の下面４０１を支持する下カバー支持面２５が設けられている。下カバー支持面２５の上側には、上カバー３０の先端部３０４が位置している。
導光板４０は、上カバー３０と下カバー２０で構成される器具本体１３の内部に位置する光入射領域４０６と、器具本体１３の外側に露出する光出射領域４０７を有する。
前述した反射部材２６は、光入射領域４０６に設けられている。
【００２０】
図５に示すように、下カバー支持面２５は、外側端２５１が内側よりも高くなるように傾斜しており、支持レール２２の外側面およびＬＥＤ基板２４２に対して直交する。
下カバー支持面２５の上側には、導光板４０の上面４０２を支持する押え金具が設けられている。図３および図７に示すように、押え金具は、下カバー２０の長手方向両端部に設けられる端部導光板押え金具（押え金具）４２と、下カバー２０の長手方向中央部に設けられる中央導光板押え金具（押え金具）４１を有する。
【００２１】
図５および図７に示すように、中央導光板押え金具４１は下カバー２０に取り付けられており、左右の発光部２４を内包するように、略下カバー２０の全幅にわたって設けられている。中央導光板押え金具４１は、導光板４０の上面４０２を支持する左右一対の導光板支持部４１１と、左右一対の導光板支持部４１１を連結すべく上カバー３０の内面に沿って設けられた跨設部４１２を有する。
なお、導光板支持部４１１は、パッキン４１３を介して導光板４０を支持するようにすることができる。
【００２２】
端部導光板押え金具４２は下カバー２０に取り付けられており、左右一対の支持レール２２を覆うように設けられている。端部導光板押え金具４２は、導光板４０の上面を支持する導光板支持部４２１と、発光部２４が取り付けられた支持レール２２を覆う覆い部４２２と、左右の覆い部４２２を連結する連結部４２３を有する。
このように、発光部２４は、長手方向両端部においては端部導光板押え金具４２により覆われ、長手方向中央部においては中央導光板押え金具４１により覆われるので、外部から見えない。
【００２３】
図５に示すように、下カバー２０の左右の下カバー支持面２５と、端部導光板押え金具４２の導光板支持部４２１および中央導光板押え金具４１の導光板支持部４１１との間に、導光板４０の基端部４０３が支持されている。
導光板４０は、例えば、アクリル樹脂のような光透過性の高い材料から矩形平板状に形成されている。導光板４０は、入射端面４０５が発光部２４のＬＥＤチップ２４１に対向するように取り付けられている。
【００２４】
導光板４０は、基端部４０３よりも先端部４０４が高く位置するように傾斜して取り付けられている。このため、入射端面４０５は、上端が下端よりも下カバー２０の中心側に位置するように傾斜しており、入射端面４０５はＬＥＤ基板２４２と略平行に対向する。導光板４０の傾斜角度θは、例えば１度〜１０度程度である。
なお、傾斜している導光板４０の先端部４０４は、上カバー３０の最上部を通過する水平面ＨＬよりも下側に位置するようにする。
【００２５】
図８（Ａ）に示すように、ここでは、傾斜している導光板４０の入射端面４０５を上面４０２および下面４０１に対して直角に切断するとともに、ＬＥＤ基板２４２を傾斜させて平行に対向させた。
これにより、ＬＥＤ基板２４２の面方向が、導光板４０の面方向に対して直角になるようにした。
この他、図８（Ｂ）に示すように、ＬＥＤ基板２４２を垂直に取り付け、導光板４０の端部を上面４０２（下面４０１）に対して斜めに切断して入射端面４０５を形成し、入射端面４０５をＬＥＤ基板２４２に対して平行に対向させることも可能である。
【００２６】
図９（Ａ）に示すように、導光板４０は、長手方向端部４０８が、各ＬＥＤチップ２４１のうちの配列方向の最端部のＬＥＤチップ２４１Ｅに対面する位置よりも、配列方向に沿って張り出した外側領域Ｒ１に位置する。また、外側領域Ｒ１には、嵌合部（凹部）４３が、切欠かれて設けられている。嵌合部４３は、ＬＥＤチップ２４１からの照射光が届きにくい領域に設けることができる。
嵌合部４３は導光板４０の下カバー２０に対する位置決めを行うものであり、ビス４４により下カバー２０に固定されている。
また、図９（Ｂ）に示すように、導光板４０の嵌合部４３に、下カバー２０に設けられている位置決め突起２７を挿嵌して位置決めすることもできる。
【００２７】
導光板４０には、上面４０２や下面４０１にスリットを設けたり、印刷して、配光制御することも可能である。
この場合、図１０に示すように、ＬＥＤチップ２４１からの光がビス４４等に遮断されて影ができやすい領域Ｒ２では、スリットを密に設けたり、印刷を濃くして、光の拡散を行いやすくする。
これにより、影が目立たなくなり、均一な照明光を得ることができる。
【００２８】
ＬＥＤ照明器具１０の作用効果について説明する。
ＬＥＤ照明器具１０では、ＬＥＤチップ２４１がＬＥＤ基板２４２に実装された発光部２４が、器具本体１３に収容されている。器具本体１３の上カバー３０および下カバー２０の間には、入射端面４０５が発光部２４に対面する平板状の導光板４０が、設けられており、導光板４０の基端部４０３が、挟持されている。
そして、上カバー３０における組み合わせ方向に沿った高さ寸法Ｈ１が、下カバー２０の高さ寸法Ｈ２よりも大きいので、導光板４０を、基端部４０３よりも先端部４０４が上方になるように挟持することができる。
また、導光板４０は、基端部４０３よりも先端部４０４が上方になるように傾斜して挟持されているので、器具本体１３の上カバー３０が隠れて見えず、かつ、下カバー２０が薄いので、ＬＥＤ照明器具１０全体の薄型感が得られる。
【００２９】
また、発光部２４のＬＥＤ基板２４２の面方向は、導光板４０の面方向に対して直角に向くように設けられている。
このため、発光部２４が発した光が、導光板４０の入射端面４０５へまっすぐ入射するので、入射効率が向上する。
【００３０】
さらに、器具本体１３は、天井面１１から垂下されるワイヤ１２を接続可能な接続部２１を有するので、容易に天井面１１から吊下げることができる。
【００３１】
また、ＬＥＤ照明器具１０では、ＬＥＤチップ２４１がＬＥＤ基板２４２に実装された発光部２４が、器具本体１３に収容されている。器具本体１３の上カバー３０および下カバー２０の間には、入射端面４０５が発光部２４に対面する平板状の導光板４０が、設けられており、導光板４０の基端部４０３が、挟持されている。
発光部２４は、ＬＥＤ基板２４２が上カバー３０と下カバー２０との境界線に沿って連続する帯状であるとともに、各ＬＥＤチップ２４１がＬＥＤ基板２４２の長手方向に沿って直線状に配列されている。
【００３２】
そして、導光板４０における各ＬＥＤチップ２４１の配列方向に沿った長手方向端部４０８が、各ＬＥＤチップ２４１のうちの配列方向の最端部のＬＥＤチップ２４１Ｅに対面する位置よりも、配列方向に沿って張り出した外側領域Ｒ１に位置する。この外側領域Ｒ１に、器具本体１３と導光板４０とを結合する嵌合部４３を設けた。
このため、器具本体１３と導光板４０を結合する嵌合部４３は、配列されたＬＥＤチップ２４１のうちの最端部のＬＥＤチップ２４１Ｅより張り出した外側領域Ｒ１に配置されるので、嵌合部４３に照射される光の量を低減できる。
これにより、嵌合部４３を目立たなくして、ムラを低減することができる。
【００３３】
また、下カバー２０は、導光板４０の下面４０１を支持する下カバー支持面２５を有し、導光板４０の上面４０２を支持する中央導光板押え金具４１および端部導光板押え金具４２を有する。
これにより、導光板を確実に挟持することができる。
【００３４】
また、ＬＥＤ照明器具１０では、ＬＥＤチップ２４１がＬＥＤ基板２４２に実装された発光部２４が、器具本体１３に収容されている。器具本体１３の上カバー３０および下カバー２０の間には、入射端面４０５が発光部２４に対面する平板状の導光板４０が、設けられており、導光板４０の基端部４０３が、挟持されている。
導光板４０は、下カバー２０に固定されるとともに導光板４０の上面４０２を支持する中央導光板押え金具４１および端部導光板押え金具４２により取り付けられる。
【００３５】
このため、中央導光板押え金具４１および端部導光板押え金具４２により、光が漏れる隙間の発生を防止して、光の無駄を無くすことができる。
また、導光板４０は、器具本体１３から露出する光出射領域４０７と、器具本体１３に収容される光入射領域４０６を有し、器具本体１３の内側における光入射領域４０６に対面する箇所に反射部材２６を設けた。
このため、入射端面４０５から入射して、すぐに導光板４０から出射する光を反射部材２６が反射して導光板４０に戻すので、光の無駄を無くすことができる。
【００３６】
また、反射部材２６が、ＬＥＤ基板２４２の実装面に沿って設けられているので、ＬＥＤチップ２４１から光入射領域４０６に発せられる光のうち、入射端面４０５に入射しない光を反射部材２６が反射して、導光板４０に入射させる。
これにより、光の無駄を無くすことができる。
【００３７】
さらに、シート状の反射部材２６は、導光板４０の上面４０２からＬＥＤ基板２４２の表裏を経て、導光板４０の下面４０１まで連続して設けられている。
このため、発光部２４が発する光を全て導光板４０の入射端面４０５の方に向けることができ、光の無駄を無くすことができる。また、反射部材２６の取付けが容易になる。
【００３８】
本発明のＬＥＤ照明器具は、前述した実施形態に限定されるものでなく、適宜な変形、改良等が可能である。
例えば、前述した実施形態においては、器具本体１３の幅方向両側に２枚の導光板４０を設けた場合を例示したが、器具本体１３の片方にのみ設ける片翼や、四角形、スクェア形状に設ける４翼の場合も可能である。
【００３９】
また、前述した実施形態においては、ワイヤ１２で吊下げる場合を例示したが、支柱のような堅い部材で吊下げることも可能である。
さらに、図１１に示すように、ＬＥＤ照明器具１０を天井面１１に直付することも可能である。この場合でも、導光板４０の先端部４０４は上カバー３０の最上部を通過する水平面ＨＬよりも下側にあるので、天井面１１に当たらない。
【符号の説明】
【００４０】
１０  ＬＥＤ照明器具
１１  天井面（下向き面）
１２  ワイヤ（垂下部材）
１３  器具本体
２０  下カバー
２１  接続部
２４  発光部（光源）
２４１  ＬＥＤチップ
２４２  ＬＥＤ基板（基板）
３０  上カバー
４０  導光板
４０３  基端部
４０４  先端部
４０５  入射端面
Ｈ１  上カバーの高さ寸法
Ｈ２  下カバーの高さ寸法
【図１】
2015090764.tif 000003
【図２】
2015090764.tif 000004
【図３】
2015090764.tif 000005
【図４】
2015090764.tif 000006
【図５】
2015090764.tif 000007
【図６】
2015090764.tif 000008
【図７】
2015090764.tif 000009
【図８】
2015090764.tif 000010
【図９】
2015090764.tif 000011
【図１０】
2015090764.tif 000012
【図１１】
2015090764.tif 000013
【図１２】
2015090764.tif 000014